(57)【要約】【課題】プレフィルタの掃除の手間を省き、簡単にお手入れできる空気清浄機を提供する。【解決手段】空気清浄機１は、送風部２と、吸入した空気を旋回させて塵埃を捕集するサイクロン集塵部３と、通過する空気の塵埃を捕集するフィルタ集塵部４とを筐体５に備え、サイクロン集塵部３がフィルタ集塵部４よりも上流側に位置する。【選択図】図３
2019120436.tif 000002
【特許請求の範囲】
【請求項１】
送風部と、吸入した空気を旋回させて塵埃を捕集するサイクロン集塵部と、通過する空気の塵埃を捕集するフィルタ集塵部とを筐体に備え、
前記サイクロン集塵部が前記フィルタ集塵部よりも上流側に位置する
空気清浄機。
【請求項２】
前記サイクロン集塵部及び前記フィルタ集塵部は、前記送風部の上流側に配設されている
請求項１に記載の空気清浄機。
【請求項３】
前記サイクロン集塵部は前記送風部の上流側に配設され、
前記フィルタ集塵部は前記送風部の下流側に配設されている
請求項１に記載の空気清浄機。
【請求項４】
前記サイクロン集塵部は前記筐体の外部から着脱可能な集塵ケースを備える
請求項１〜３の何れか１項に記載の空気清浄機。
【請求項５】
前記集塵ケースは内部の塵埃を目視可能に構成されている
請求項４に記載の空気清浄機。
【請求項６】
前記サイクロン集塵部は旋回する空気に紫外線を照射する紫外線照射手段を備える
請求項１〜５の何れか１項に記載の空気清浄機。
【請求項７】
前記フィルタ集塵部は集塵フィルタを着脱自在に備える
請求項１〜６の何れか１項に記載の空気清浄機。
【請求項８】
前記筐体から排出される空気に対して加湿を行う加湿部を備える
請求項１〜７の何れか１項に記載の空気清浄機。
【請求項９】
前記加湿部により加湿された空気に対して紫外線を照射する紫外線照射手段を備える
請求項８に記載の空気清浄機。
【請求項１０】
前記加湿部は、前記筐体の外部から着脱可能な水タンクを備える
請求項８又は９に記載の空気清浄機。
【請求項１１】
送風部と、吸入した空気を交換可能な紙パックフィルタで捕集する紙パック集塵部と、通過する空気の塵埃を捕集するフィルタ集塵部とを筐体に備え、
前記紙パック集塵部が前記フィルタ集塵部よりも上流側に位置する
空気清浄機。
【発明の詳細な説明】
【技術分野】
【０００１】
本発明は、流動する空気中の塵埃を除去する空気清浄機に関する。
【背景技術】
【０００２】
空気清浄機として、プレフィルタ、脱臭フィルタ、集塵フィルタを備える装置がある（例えば特許文献１）。
特許文献１の空気清浄機は、最初に吸入した吸入空気に含まれる比較的大きな塵埃をプレフィルタにて捕集し、次に、吸入空気中の臭い成分を脱臭フィルタにて吸着・除去した後、集塵フィルタにて吸入空気中に含まれる比較的小さな塵埃を捕集している。
【先行技術文献】
【特許文献】
【０００３】
【特許文献１】特開２０１５−１８７５４０
【発明の概要】
【発明が解決しようとする課題】
【０００４】
しかしながら、特許文献１に記載の空気清浄機では、比較的大きな塵埃がプレフィルタに付着すると、空気を吸入する際の通風抵抗が増大する。通風抵抗の増大は、空気の吸入が妨げられて空気清浄能力が低下したり、送風ファンの回転音が大きくなったりする。
それを防止するために、通常、プレフィルタに付着した塵埃を取り除くための掃除がこまめに必要になる。プレフィルタの掃除は、掃除機等を利用して塵埃を吸入したり、プレフィルタを装置から取り外して洗浄したり等面倒であり、ユーザの負担が増大していた。
本発明は、プレフィルタの掃除の手間を省き（無くし）、簡単にお手入れできる空気清浄機を提供することを目的とする。
【課題を解決するための手段】
【０００５】
本発明に係る空気清浄機は、送風部と、吸入した空気を旋回させて塵埃を捕集するサイクロン集塵部と、通過する空気の塵埃を捕集するフィルタ集塵部とを筐体に備え、前記サイクロン集塵部が前記フィルタ集塵部よりも上流側に位置する。
本発明に係る空気清浄機は、送風部と、吸入した空気を交換可能な紙パックフィルタで捕集する紙パック捕集部と、通過する空気の塵埃を捕集するフィルタ集塵部とを筐体に備え、前記紙パック捕集部が前記フィルタ集塵部よりも上流側に位置する。
【発明の効果】
【０００６】
上述の構成によれば、プレフィルタを用いていないため、プレフィルタの掃除が不要となり、お手入れが簡単にできる。
【図面の簡単な説明】
【０００７】
【図１】第１実施形態に係る空気清浄機の外観斜視図である。
【図２】第１実施形態に係る空気清浄機の側面斜視図である。
【図３】第１実施形態に係る空気清浄機の構成を示す概略図である。
【図４】第２実施形態に係る空気清浄機の構成を示す概略図である。
【発明を実施するための形態】
【０００８】
＜概要＞
一態様に係る空気清浄機は、送風部と、吸入した空気を旋回させて塵埃を捕集するサイクロン集塵部と、通過する空気の塵埃を捕集するフィルタ集塵部とを筐体に備え、前記サイクロン集塵部が前記フィルタ集塵部よりも上流側に位置する。このようにサイクロン集塵部を利用しているため、集塵した塵埃を取り除く作業が容易となる。
また、他の態様に係る空気清浄機は、送風部と、吸入した空気を交換可能な紙パックフィルタで捕集する紙パック捕集部と、通過する空気の塵埃を捕集するフィルタ集塵部とを筐体に備え、前記紙パック捕集部が前記フィルタ集塵部よりも上流側に位置する。これにより、集塵した塵埃を取り除く作業が容易となる。
別態様に係る空気清浄機において、前記サイクロン集塵部及び前記フィルタ集塵部は、前記送風部の上流側に配設されている。これにより、送風部の下流側（排気側）における圧力損失を低減できる。
別態様に係る空気清浄機において、前記サイクロン集塵部は前記送風部の上流側に配設され、前記フィルタ集塵部は前記送風部の下流側に配設されている。これにより、送風部の上流側（吸気側）と下流側（排気側）にサイクロン集塵部及びフィルタ集塵部の通過負荷を分散でき、圧力損失を低減できる。
別態様に係る空気清浄機において、前記サイクロン集塵部は前記筐体の外部から着脱可能な集塵ケースを備える。これにより、サイクロン集塵部の集塵ケースの掃除が容易となる。
【０００９】
別態様に係る空気清浄機において、前記集塵ケースは内部の塵埃を目視可能に構成されている。これにより、ケース内における塵埃の堆積が目視でき、ユーザは清浄作用を実感できる。
別態様に係る空気清浄機において、前記サイクロン集塵部は旋回する空気に紫外線を照射する紫外線照射手段を備える。これにより、旋回室（ケース）内を清潔に保つことができ、吸入した空気を殺菌できる。
別態様に係る空気清浄機において、前記フィルタ集塵部は集塵フィルタを着脱自在に備える。これにより、集塵フィルタの掃除や交換を容易にできる。
別態様に係る空気清浄機において、前記筐体から排出される空気に対して加湿を行う加湿部を備える。これにより、当該空気清浄機を使用している空間内にミストを拡散できる。
別態様に係る空気清浄機において、前記加湿部により加湿された空気に対して紫外線を照射する紫外線照射手段を備える。これにより、加湿された空気を殺菌できる。
別態様に係る空気清浄機において、前記加湿部は、前記筐体の外部から着脱可能な水タンクを備える。これにより、水タンクへの給水作業が容易になる。
＜第１実施形態＞
【００１０】
１．構成
図１〜図３を用いて空気清浄機の概略を説明する。
空気清浄機１は、図３に示すように、送風部２と、吸入した空気を旋回させて塵埃を捕集するサイクロン集塵部３と、通過する空気の塵埃を捕集するフィルタ集塵部４とを筐体５に備える。空気清浄機１は、筐体５から排出される空気に対して加湿を行う加湿部６を備える。
空気清浄機１は、図１及び図２に示すように、装置の電源オン・オフ、風量、加湿のオン・オフ等の装置に関する操作を行う操作部７を筐体５に備える。
空気清浄機１は、筐体５の排出口５２から排出される空気の向きを調整する向き調整部８を備える。空気清浄機１は、図３に示すように、吸引した空気を殺菌する殺菌部９を備える。
【００１１】
ここで、空気清浄機１を見たときに、面積が一番大きくなる面を前面（正面）とし、この正面視の状態で、左右方向を幅方向ともいい、前後方向と直交する面を、前面・後面とし、幅方向と直交する面を側面とし、上下方向と直交する面であって上側・下面とする。
以下、各部について説明する。
【００１２】
２．各部構成
（１）筐体
筐体５は奥行方向の寸法が最も小さい直方箱状をしている。
筐体５は、サイクロン集塵部３及びフィルタ集塵部４を送風部２の上流側に収容する。
以下、主に図１及び図２を用いて説明する。
筐体５は清浄する空気を吸入するための吸入口５１を有している。ここでの吸入口５１は、前壁５０ａの下部に設けられている。筐体５は清浄された空気を排出する排出口５２を有している。ここでは、上壁５０ｂの後部に設けられている。
筐体５は、サイクロン集塵部３の集塵ケース３１を取り出し可能にするためのケース取出口５３を有している。ここでのケース取出口５３は一方の側壁５０ｃと前壁５０ａの一部とに跨るように下部側に設けられている。これにより、捕集した塵埃を容易に捨てることができる。
【００１３】
筐体５は、フィルタ集塵部４の集塵フィルタ４１及び脱臭フィルタ４３を取り出し可能にするための取出機構を有している。ここでの取出機構は、前壁５０ａを筐体本体５０に対して着脱可能とすることで構成されている。具体的には、前壁５０ａと筐体本体５０とは、互いに係合する係合部や互いに嵌合する嵌合部を有している。なお、筐体本体５０は、上壁５０ｂ、一対の側壁５０ｃ，５０ｄ、底壁５０ｅ（図３参照）及び後壁５０ｆから構成されている。
筐体５は、排出口５２から排出される空気に対してミストを吹き付けるための吹付口５４を有している。
筐体５は上壁５０ｂの一部に開口を有し、当該開口を開閉可能に塞ぐ蓋部５５を有している。この蓋部５５を外すことで、加湿部６の水タンク６３を取り出し可能にしている。これにより、水タンク６３の取り出し、つまり、給水作業を容易に行うことができる。筐体５は、水タンク６３内の水量が目視可能とする水タンク窓５６を有している。ここでの水タンク６３は正面から見て一方側（左側）にあるため、水タンク窓５６は一方側の側壁５０ｃに設けられている。
操作部７は、操作ボタン７１，７３が外部に露出する状態で筐体５に取り付けられている。ここでは、筐体５の上壁５０ｂの前部側の裏面側に操作部７の操作基板が設けられている。
【００１４】
（２）送風部
主に図３を用いて説明する。
送風部２は送風ファン２２と駆動モータ２１とを備える。駆動モータ２１により送風ファン２２が回転し、外部の空気が吸入口５１から内部に吸入され、吸入された空気は排出口５２から外部へと排出される。なお、駆動モータ２１の電源オン・オフ、風量の調整（回転速度の調整）等は、操作部７の操作ボタン７１，７３の操作により行われる。
ここでの送風ファン２２は、シロッコファンが利用され、その回転軸が幅方向と平行に設けられている。なお、送風ファン２２は駆動モータ２１の回転軸２１ａに取り付けられている。
【００１５】
送風部２は、フィルタ集塵部４と排出口５２とを接続する排出路２５に設けられている。具体的には、送風ファン２２は、フィルタ集塵部４の集塵フィルタ４１又は脱臭フィルタ４３に対向する状態で排出路２５内に設けられ、排出路２５の外部の駆動モータ２１に回転軸２１ａを介して接続されている。この場合、送風ファン２２の下流側を通過する通過抵抗が小さくなり、圧力損失を低減できる。これにより、排出口５２から排出される空気の流速や風量を確保できる。
【００１６】
排出路２５は、フィルタ集塵部４と対向する部分に筒部２５ａを有し、当該筒部２５ａの上部（下流端）から排出口５２に向かって延伸する延伸筒部２５ｂを有している。
筒部２５ａは、ここでは円筒状をし、その内部に送風ファン２２が配される。これにより、大型の送風ファンを利用することができる。延伸筒部２５ｂは、上流側では角筒状をし、下流側に向かって幅が大きくなり、下流端(排出口５２）では幅方向に細長く伸びる矩形状（排出口５２の形状である）をしている。これにより、排出口５２から排出される空気の流速を高めることができる。また、延伸筒部２５ｂの横断面形状は、緩やかに変化している。これにより、圧力損失を抑制できる。なお、排出路２５において、筒部２５ａでは空気が吸引され、延伸筒部２５ｂでは空気が排出（送出）される。
【００１７】
（３）サイクロン集塵部
主に図３を用いて説明する。
サイクロン集塵部３は送風部２の上流側に設けられている。ここでは、フィルタ集塵部４よりも上流側に設けられている。サイクロン集塵部３は、吸入口５１から吸入した空気を旋回させて、旋回気流中の塵埃を採集する。サイクロン集塵部３は、本体３０と、集塵ケース３１と、補助フィルタ手段３２とを有する。集塵ケース３１は、本体３０に対して着脱可能に取り付けられ、筐体５の外部から出し入れ可能となっている。
【００１８】
（３−１）本体
本体３０は、吸入口５１と連通する外部流路３３と、吸入された空気を補助フィルタ部３５の外周に沿うように案内する案内路と補助フィルタ手段３２を通過した空気を排出する排出路とからなる内部流路３４とを有する。なお、図３では内部流路３４の外観を示しており、案内路及び排出路の図示は省略している。
【００１９】
（３−２）集塵ケース
集塵ケース３１は有底円筒状をしている。集塵ケース３１の開口側部分が本体３０に対して着脱可能に取り付けられる。集塵ケース３１は捕集した塵埃を可視化可能に構成されている。ここでは、集塵ケース３１は透光性材料により構成されている。より具体的には透明又は半透明の（透光性）樹脂材料で形成されている。なお、集塵ケース３１の底部分３１ａが筐体のケース取出口５３から露出している。
（３−３）補助フィルタ手段
補助フィルタ手段３２は、集塵ケース３１の底部分３１ａ側が細くなる円錐状に形成され且つ周壁部分の構造がメッシュ（網目）状の補助フィルタ部３５と、補助フィルタ部３５の先端から径方向であって集塵ケース３１の底部分３１ａに向かって広がるかえし部（コーン部）３６とを有している。
【００２０】
（３−４）集塵
吸入口５１から吸入した空気は、本体３０の外部流路３３から案内路を通ることで、補助フィルタ部３５の外周側を螺旋状に旋回する旋回気流となる。旋回気流は集塵ケース３１の内周面に沿って旋回しながら集塵ケース３１の底部分３１ａへと向かう。その後、集塵ケース３１の底部分３１ａに当って旋回軸方向の内部流路３４の排出路側に向きを変え、かえし部３６の外側を通る際に、排出路側に向かう空気に含まれる塵埃が、集塵ケース３１の底部分３１ａへと向かう旋回気流に連れ戻される。即ち、塵埃が取り除かれた清浄な空気が補助フィルタ部３５を通過して、排出路を経由して送風部２（フィルタ集塵部４）へと吸入される。
旋回気流に含まれる塵埃は旋回気流の遠心力により集塵ケース３１のラジアル外方（内周面側）に向かい、空気から除去される。なお、送風ファン２２の回転が止まると、かえし部３６よりも集塵ケース３１の底部分３１ａ側に入った塵埃は旋回力を無くし落下する。
【００２１】
（４）フィルタ集塵部
主に図３を用いて説明する。
フィルタ集塵部４は送風部２の上流側に設けられている。フィルタ集塵部４は集塵フィルタ４１を備える。つまり、フィルタ集塵部４は、サイクロン集塵部３を通過し且つ送風部２により吸引される空気が集塵フィルタ４１を通過することで空気から塵埃を捕集する。
ここでのフィルタ集塵部４は集塵フィルタ４１の他に脱臭フィルタ４３を備える。なお、集塵フィルタ４１は脱臭フィルタ４３の上流側に隣接して設けられている。集塵フィルタ４１及び脱臭フィルタ４３は平板状をしている。ここでの集塵フィルタ４１と脱臭フィルタ４３は、円板状をし、その主面が垂直となるように配されている。換言すると、サイクロン集塵部３内で発生する旋回気流の旋回軸と直交するように配されている。つまり、送風部２により吸引される空気は集塵フィルタ４１と脱臭フィルタ４３を厚み方向に通過する。
【００２２】
フィルタ集塵部４は集塵フレーム４５を備え、集塵フレーム４５に集塵フィルタ４１と脱臭フィルタ４３とが取り外し可能に取り付けられている。ここでは、筐体５の前壁５０ａは筐体本体５０から取り外し可能であり、集塵フィルタ４１と脱臭フィルタ４３は、前方から取り外せるように集塵フレーム４５に設けられている。これにより、集塵フィルタ４１と脱臭フィルタ４３を容易に筐体５から取り出することができ、集塵フィルタ４１及び脱臭フィルタ４３の掃除や交換を容易に行うことができる。
フィルタ集塵部４の下流側のフィルタ、ここでは脱臭フィルタ４３の下流側が排出路２５の入口となり、送風部２により吸引される。
【００２３】
（５）加湿部
主に図３を用いて説明する。
加湿部６は、排出口５２から排出される空気にミストを供給できるように設けられている。加湿部６は、水タンク６３と、水タンク６３の水を受けてミストを発生するミスト発生手段６１とを備える。
ここでのミスト発生手段６１は、超音波によって水を微細な粒子にする超音波霧化式である。ミスト発生手段６１により発生したミストは、図示しない通路を経由して、上壁５０ｂの吹付口５４から筐体５の外部に吹き付けられる。
吹付口５４は、図１及び図２に示すように、幅方向に長い排出口５２における長手方向の略中央に設けられている。吹付口５４は、吹き付け方向に広がるラッパ状をしている。これにより、排出口５２から排出される空気全体に亘って、ミストが吹き付けられる。
水タンク６３は、着脱可能に筐体５内に収容されている。水タンク６３は、筐体５の蓋部５５を開けることで、容易に取り出される。
【００２４】
（６）操作部
操作部７は、図１及び図２に示すように、筐体５の上壁５０ｂに設けられている。操作部７は、操作ボタン７１，７３と、操作ボタン７１，７３による操作内容に基づいて各部を制御する制御回路を有している。なお、制御基板は、上壁５０ｂに裏面側に取付けられた操作基板に設けられている。
【００２５】
（７）向き調整部
向き調整部８は、排出口５２の後方側に配され且つ幅方向に延伸する回転軸廻りに回転自在に支持された板部材８１と、板部材８１の向きを変更する変更手段８３とを有する。変更手段８３は、板部材８１のギアと噛み合う回転ギアと、回転ギアを回転させる駆動モータとを備える。これにより、駆動モータの回転により板部材８１がスイングする。
【００２６】
（８）殺菌部
殺菌部９は、図３に示すように、サイクロン集塵部３内を旋回している旋回気流に対して紫外線を照射する紫外線照射手段９１により構成される。紫外線照射手段９１は集塵ケース３１の内部に配されている。このため、ここでの殺菌部９（紫外線照射手段９１）はサイクロン集塵部３の一部を構成する。
ここでいう「集塵ケース３１の内部」とは、集塵ケース３１の内部だけでなく、集塵ケース３１の内部空間に面している空間も含む。例えば、図３に示すようにサイクロン集塵部３の本体３０内に紫外線照射手段９１が配されている場合も、「紫外線照射手段９１は集塵ケース３１の内部に配されている」とする。
集塵ケース３１は、紫外線に対して耐性のある材料で形成されるのが好ましく、例えば、ＰＭＭＡ（アクリル）やＰＣ（ポリカーボネート）等を利用できる。また、紫外線の漏れを考慮すると、集塵ケース３１として、紫外線吸収剤を添加したものにより構成されるのが好ましい。
【００２７】
３．使用
（１）空気清浄
空気清浄を行う場合、操作ボタン７１，７３を操作して送風部２を駆動させる。これにより、送風ファン２２が回転し、吸入口５１から空気がサイクロン集塵部３に吸入される。サイクロン集塵部３では、空気に含まれる塵埃が旋回気流により遠心分離され、集塵ケース３１内の底部分３１ａ側に集まって蓄積される。
サイクロン集塵部３及びフィルタ集塵部４が送風部２よりも上流側に設けられているため、送風部２の下流側の通過抵抗を少なくできる。これにより、排出口５２から排出される空気の風量を確保でき、室内の広い範囲へときれいな空気（清浄された空気）を送ることができる。また、通過抵抗を少なくすることで、送風部２の駆動モータ２１の負荷を小さくでき、騒音の増大を防止できる。
【００２８】
空気清浄中、サイクロン集塵部３内を旋回している旋回気流に対して紫外線照射手段９１により紫外線を照射している。これにより、筐体５内に吸入された空気を殺菌して排出することができる。また、紫外線照射手段９１は集塵ケース３１の内部にて紫外線を出射するため、集塵ケース３１内を清潔に保つことができる。
空気清浄中、排出口５２から排出される空気が板部材８１により向きが変更される。これにより、室内の広い範囲に清浄された空気を送ることができる。
【００２９】
空気清浄中、排出口５２から排出される空気に対してミスト発生手段６１からミストが吹き付けられる。これにより、室内の広い範囲にミストを拡散することができる。特に、空気の吹出力(排出力）のもっとも強い排出口５２近傍でミストを吹き付けるため、空気に乗り切れなかったミストにより床が濡れるようなことを少なくすることができる。
【００３０】
（２）掃除
サイクロン集塵部３をフィルタ集塵部４の上流側に設けているため、集塵フィルタ４１に大きな塵埃が付着するのを防止できる。これにより、集塵フィルタ４１と脱臭フィルタ４３とに付着する塵埃を少なくでき、これらの寿命を長くできる。
また、サイクロン集塵部３は、捕集した塵埃が集塵ケース３１内に堆積し、集塵ケース３１を取り出し可能に構成されている。このため、プレフィルタを利用する場合に比べて、集塵ケース３１の掃除を容易に行うことができる。
特に、集塵ケース３１は、内部の塵埃の堆積状態を可視化できるため、塵埃を除去するタイミングが分かり易い。
筐体５の前壁５０ａは取り外し可能に構成され、フィルタ集塵部４の集塵フィルタ４１と脱臭フィルタ４３は集塵フレーム４５に対して取り出し可能に構成されている。このため、集塵フィルタ４１や脱臭フィルタ４３の掃除や交換を容易に行うことができる。
【００３１】
＜第２実施形態＞
第１実施形態は、フィルタ集塵部４をサイクロン集塵部３と送風部２との間に配設していたが、フィルタ集塵部を送風部の下流側に配してもよい。この場合、送風部の下流側を通過する通過抵抗が大きくなるものの、送風部の下流側にサイクロン集塵部とフィルタ集塵部とを配設するよりも通過抵抗を小さくできる。
以下、サイクロン集塵部１０３を送風部１０２の上流側に、フィルタ集塵部１０４を送風部１０２の下流側にそれぞれ配設した空気清浄機１０１について、図４を用いて説明する。
なお、第２実施形態において、第１実施形態と同じ構成については、同じ符号を用い、その説明を省略し、第１実施形態と異なる部分について説明する。
【００３２】
１．構成
図４を用いて空気清浄機の概略を説明する。
空気清浄機１０１は、図４に示すように、送風部１０２と、サイクロン集塵部１０３と、フィルタ集塵部１０４とを筐体１０５に備える。空気清浄機１０１は、上記構成以外に、加湿部６、操作部７、向き調整部８及び殺菌部９を備える。
【００３３】
２．各部構成
（１）筐体
筐体１０５は直方箱状をして、送風部１０２を挟む状態でサイクロン集塵部１０３及びフィルタ集塵部１０４を収容する。
筐体１０５は、吸入口５１、排出口５２、ケース取出口５３、吹付口５４を有する他、フィルタ集塵部１０４の集塵フィルタ１４１及び脱臭フィルタ１４３を取り出し可能にするためのフィルタ取出口１５７を有している。ここでのフィルタ取出口１５７は他方の側壁５０ｄの中央部から上部側に亘って設けられている。
また、筐体１０５は、水タンク窓５６を有する他、上壁５０ｂの開口を塞ぐ蓋部５５を有し、加湿部６の水タンク６３を取り出し可能にしている。操作部７は、操作ボタン７１，７３が外部に露出する状態で筐体１０５の上壁５０ｂの前部側の裏面側に設けられている。
【００３４】
（２）送風部
主に図４を用いて説明する。
送風部１０２は送風ファン１２２と駆動モータ１２１とを備える。駆動モータ１２１により送風ファン１２２が回転し、外部の空気が吸入口５１から内部に吸入され、吸入された空気は排出口５２から外部へと排出される。なお、駆動モータ１２１の電源オン・オフ、風量の調整（回転速度の調整）等は、操作部７の操作ボタン７１，７３の操作により行われる。ここでの送風ファン１２２は、シロッコファンが利用され、その回転軸が幅方向と平行に設けられている。なお、送風ファン１２２は駆動モータ１２１の回転軸１２１ａに取り付けられている。
【００３５】
（３）サイクロン集塵部
主に図４を用いて説明する。
サイクロン集塵部１０３は送風部１０２の上流側に設けられ、基本構造は第１実施形態のサイクロン集塵部３と同じであるが、本体１３０の空気案内手段１３４の排出路の下流端が送風ファン１２２を収容する収容部を兼用している。なお、集塵ケース３１は、本体１３０に対して着脱可能に取り付けられ、筐体１０５の外部から出し入れ可能となっている。なお、サイクロン集塵部１０３の集塵原理は第１実施形態で説明したとおりである。
【００３６】
（４）フィルタ集塵部
主に図４を用いて説明する。
フィルタ集塵部１０４は送風部２の下流側に設けられている。フィルタ集塵部１０４は、送風部１０２から排出される空気が集塵フィルタ１４１を通過することで空気から塵埃を捕集する。
フィルタ集塵部１０４は、集塵フィルタ１４１と脱臭フィルタ１４３とを取り外し可能に集塵フレーム１４５に備える。フィルタ集塵部１０４の基本構造は第１実施形態のフィルタ集塵部４と同じであるが、集塵フィルタ１４１と脱臭フィルタ１４３とは、その主面が水平となるように配されている点で、第１実施形態と異なる。
集塵フィルタ１４１と脱臭フィルタ１４３は、筐体１０５の他方の側壁５０ｄのフィルタ取出口１５７から取り出せるように集塵フレーム４５に設けられている。これにより、集塵フィルタ１４１と脱臭フィルタ１４３を容易に筐体１０５から取り出することができ、集塵フィルタ１４１及び脱臭フィルタ１４３の掃除や交換を容易に行うことができる。
フィルタ集塵部１０４は、送風部１０２と連通する上流流路１４７と、筐体１０５の排出口５２と連通する下流流路１４９とを備える。ここでの上流流路１４７から流入する空気は集塵フィルタ１４１及び脱臭フィルタ１４３を上向き（厚み方向に）に通過する。
【００３７】
（５）加湿部、操作部、向き調整部、殺菌部
加湿部６、操作部、向き調整部８、殺菌部９は、第１実施形態と同じ構成であり、ここでの説明は省略する。
【００３８】
３．使用
以下、第２実施形態の空気清浄機１０１の使用時の作用・効果を、第１実施形態の空気清浄機１と異なる部分について説明する。
（１）空気清浄
空気清浄を行う場合、操作ボタン７１，７３を操作して送風部１０２を駆動させる。これにより、送風ファン１２２が回転し、吸入口５１から空気がサイクロン集塵部１０３に吸入される。
サイクロン集塵部１０３が送風部１０２よりも上流側に、フィルタ集塵部１０４が送風部１０２よりも下流側にそれぞれ設けられているため、送風部１０２の回転負荷を少なくできる（試験により確認済）。つまり、サイクロン集塵部１０３とフィルタ集塵部１０４とを送風部１０２の上流・下流に分けて配することにより、サイクロン集塵部１０３とフィルタ集塵部１０４とを通過する際の通過抵抗を小さくできる。これにより、サイクロン集塵部１０３で旋回気流を発生させるための風量を確保でき、確実に旋回気流を発生できる。また、送風部１０２の駆動モータ１２１の負荷を小さくでき、騒音の増大を防止できる。
【００３９】
（２）掃除
フィルタ集塵部１０４の集塵フィルタ１４１と脱臭フィルタ１４３は、筐体１０５のフィルタ取出口５７から取り出し可能に構成されているため、集塵フィルタ１４１や脱臭フィルタ１４３の掃除や交換を容易に行うことができる。
【００４０】
以上、第１及び第２実施形態を説明したが、これらの実施形態に限られるものではなく、例えば、以下のような変形例であってもよい。また、第１及び第２実施形態と変形例、変形例同士を組み合わせたものであってもよい。
また、第１及び第２実施形態や変形例に記載していていない例や、要旨を逸脱しない範囲の設計変更があっても本発明に含まれる。
【００４１】
＜変形例＞
１．空気清浄機
第１及び第２実施形態では、加湿部６、向き調整部８及び殺菌部９を備えている。しかしながら、これらは備えなくてもよいし、これらの一部を備えてもよいし、イオン発生等の他の機能を備えてもよい。
空気清浄機１，１０１（筐体５，１０５）の形状は、幅広箱形状、縦長箱形状等であってもよく、その形状は特に限定するものではない。
第１及び第２実施形態では、送風部２，１０２、サイクロン集塵部３，１０３及びフィルタ集塵部４，１０４を筐体５，１０５に備えているが、サイクロン集塵部３，１０３の代わりに、紙パック集塵部を備えてもよい。この場合、紙パック内に塵埃が堆積すると、新規な紙パックに交換することで、容易に塵埃を除去できる。
第１及び第２実施形態では、送風部２，１０２、サイクロン集塵部３，１０３及びフィルタ集塵部４，１０４を筐体５，１０５に備えているが、サイクロン集塵部３，１０３の上流側又は下流側に紙パック集塵部を備えてもよい。
【００４２】
２．送風部
第１及び第２実施形態の送風ファン２２，１２２はシロッコファンであったが、プロペラファン、ターボファン、ラインフローファン等の他のタイプのファンであってもよい。
第１及び第２実施形態では、送風ファン２２，１２２の回転軸が幅方向と平行であったが、回転軸が上下方向と平行であってもよいし、幅方向に対して傾斜してもよい。
【００４３】
３．サイクロン集塵部
第１及び第２実施形態では、旋回気流の旋回軸が幅方向と平行であったが、旋回軸を上下方向と平行にしてもよいし、旋回軸を幅方向に対して傾斜させてもよい。なお、筐体をタワー型（縦長タイプ）に構成し、サイクロン集塵部、フィルタ集塵部及び送風部を上下方向に配設する（積み重ねる）ようにしてもよい。また、筐体を横長タイプに構成し、サイクロン集塵部、フィルタ集塵部及び送風部を幅方向（水平方向）に配設するようにしてもよい。
第１及び第２実施形態ではサイクロン集塵部３，１０３を１段（１個）備えているが、旋回気流の速度の異なるサイクロン集塵部３，１０３を多段(複数個）で備えてもよい。この場合、補助フィルタ部３５のメッシュの大きさを変更し、通過できる塵埃を選別することが好ましい。
【００４４】
４．フィルタ集塵部
第１及び第２実施形態では、集塵フィルタ４１，１４１と脱臭フィルタ４３，１４３との２種類を備えているが、例えば、集塵フィルタ４１，１４１と脱臭フィルタ４３，１４３との一方を備えてもよい。
第１及び第２実施形態では、集塵フィルタ４１，１４１が脱臭フィルタ４３，１４３の上流側に配設されていたが、脱臭フィルタ４３，１４３が上流側に配されてもよい。
第１実施形態では、送風部２の上流側に、集塵フィルタ４１と脱臭フィルタ４３が隣接して設けられているが、送風部２の上流側に集塵フィルタ４１を配設し、送風部２の下流側に脱臭フィルタ４３を配設しても良い。
フィルタ集塵部４，１０４は集塵フィルタ４１，１４１を１段又は複数段備えても良い。フィルタ集塵部４，１０４は脱臭フィルタ４３，１４３を１段又は複数段備えてもよい。複数段備える場合、１ユニットとして備えてもてもよいし、複数ユニットとして備えてもよい。
第１実施形態におけるフィルタ集塵部４は、主面が幅方向と直交するように板状のフィルタ（４１，４３）を備え、第２実施形態におけるフィルタ集塵部１０４は、主面が上下方向と直交するように板状のフィルタ（１４１，１４３）を備えている。しかしながら、主面が前後方向と直交するようにフィルタ（集塵フィルタと脱臭フィルタとの少なくとも一方）を備えてもよいし、上下方向と前後方向とに分けてフィルタを備えてもよい。
【００４５】
５．向き調整部
第１及び第２実施形態の板部材８１は変更手段８３によりスイング可能とされているが、例えば、使用者が手で向きを調整するようにしてもよい。また、排出口５２から排出される空気を幅方向に向き調整可能に設けてもよい。
【００４６】
６．加湿部
第１及び第２実施形態のミスト発生手段６１は、超音波霧化式を利用しているが、例えば、スチーム式であってもよいし、気化式であってもよいし、これらを備えるハイブリット式であってもよい。
第１及び第２実施形態では、排出口５２から排出された空気に対してミストを吹き付けているが、例えば、排出口５２に達する直前の空気に対してミストを吹き付けるようにしてもよい。また、空気清浄された空気の排出路が複数あり、そのうちの１つにミスト発生手段を設けてもよい。
第１及び第２実施形態では、水タンク６３は筐体５の蓋部５５を開閉して出し入れするように構成されているが、水タンク６３を露出させて直接出し入れするようにしてもよい。水タンク６３の出し入れは上壁５０ｂ側から行うように構成されているが、側壁５０ｃ，５０ｄ側又は前壁５０ａや後壁側から行うようにしてもよい。
第１及び第２実施形態では、水タンク６３は取り出し可能に設けられているが、固定式であってもよい。但し、衛生面を考慮すると、水タンク６３の洗浄が可能な着脱式が好ましい。
【００４７】
７．殺菌部
（１）配置
第１及び第２実施形態では、紫外線照射手段９１を集塵ケース３１の内部に配しているが、例えば、集塵ケース３１の外部に配されてもよいし、集塵ケース３１の内部と外部とに配されてもよい。なお、紫外線照射手段９１が集塵ケース３１の外部にある場合、サイクロン集塵部３，１０３は紫外線照射手段９１を構成として含まず、紫外線照射手段９１は殺菌部９を構成するとしてもよい。
紫外線照射手段９１は、筐体５，１０５の吸入口５１からサイクロン集塵部３，１０３との間を通過する空気に対して紫外線を照射するようにしてもよいし、サイクロン集塵部３，１０３と送風部２，１０２との間を通過する空気に対して紫外線を照射してもよい。
【００４８】
（２）フィルタ集塵部
空気清浄機は、フィルタ集塵部４，１０４を通過する空気、フィルタ集塵部４，１０４に流入する空気又はフィルタ集塵部４，１０４から流出する空気を殺菌する殺菌手段を備えてもよい。例えば、フィルタ集塵部４,１０４に流入する空気に対して紫外線を照射する紫外線照射手段を備えてもよい。この場合、集塵フィルタ４１，１４１に流入する前に照射するため、死滅した菌を集塵フィルタ４１，１４１で除去できる。
【００４９】
（３）加湿部
空気清浄機は、加湿部６により加湿された空気を殺菌する殺菌手段を備えてもよい。例えば、加湿された空気に対して紫外線を照射する紫外線照射手段を備えてもよい。この場合、安全性を考慮して、ミストの吹付口５４の上方であって空気の前側から後側に向けて紫外線を照射するように構成されるのが好ましい。また、紫外線照射手段はミストと空気とに跨るように紫外線を照射してもよい。
空気清浄機は、加湿部６の水タンク６３内に貯留する水を殺菌する殺菌手段を備えてもよい。例えば、水タンク６３内の水に紫外線を照射する紫外線照射手段を、水タンク６３の内部又は外部に備えてもよい。
【符号の説明】
【００５０】
１    空気清浄機
２    送風部
３    サイクロン集塵部
４    フィルタ集塵部
５    筐体
６    加湿部
９    殺菌部
【図１】
2019120436.tif 000003
【図２】
2019120436.tif 000004
【図３】
2019120436.tif 000005
【図４】
2019120436.tif 000006